(57)【要約】      （修正有）【課題】ナンバープレースにおいて、試行錯誤により時間をかけて数字を推定する方法ではなく、これを数理的観点より、確定数を見つけることができる表を提供する。【解決手段】枠を３行３列に並べた９個の枠を数字枠とし、数字枠を３行３列に並べた９個の数字枠をブロックとしたとき、数字分析表はブロックを３行３列に並べた９個のブロックおよび８１個の数字枠からなる表を使用する。【選択図】図１
0003136455.tif 000002
【実用新案登録請求の範囲】
【請求項１】
数字パズル（ナンバープレース）数字枠１〜９を解く場合、枠を更に９等分（上行１・２・３、中行４・５・６、下行７・８・９）に分けて記入することにより未定の数字の発見が容易になる。そのための表の様式。図１
【請求項２】
数字パズル（ナンバープレース）数字枠が１〜１２を解く場合、枠を更に１２等分（上行１・２・３・４、中行５・６・７・８、下行９・１０・１１・１２）に分けて記入することにより未定の数字の発見が容易になる。そのための表の様式。図２
【考案の詳細な説明】
【技術分野】
【０００１】１、  ９＊９の数字枠を、さらに９等分することにより、従来よ９倍の精度で数字が分析される。また、問題解決の途中段階においても、行・列１〜９の配列の確認により、未定の数字の発見が容易になる。
２、  １２＊１２の数字枠を、さらに１２等分することにより、従来よ１２倍の精度で数字が分析される。また、問題解決の途中段階においても、行・列１〜１２の配列の確認により、未定の数字の発見が容易になる。
【背景技術】
【０００２】  数字パズルナンバープレースは世界的に普及し、パズル・ブームをきたしている。しかし、いままでの説明書による解き方では、１〜９または１〜１２のブロックを単位として未定の数字を決めて行く方法であるが、複雑な問題ではブロック単位の考え方だけでは解決は困難である。
図３−１，図３−２
【考案の開示】
【考案が解決しようとする課題】
【０００３】  数理的に解ける１〜９数字パズル、または１〜１２数字パズルの解法。
【課題を解決するための手段】
【０００４】  実用新案請求の様式（図１、図２）を活用する。
【考案の効果】
【０００５】  数字パズルが容易に解ける説明書に利用すれば、愛好者が増加する。
【考案を実施するための最良の形態】
【０００６】  図４、図５、図６、図７参照。
【実施例】
【０００７】  図４、図５、図６、図７参照。
【産業上の利用可能性】
【０００８】  数字パズルの説明書・問題集等書物の印刷業に貢献する。
【図面の簡単な説明】
【図１】１、１個の数字枠をさらに９等分し、表数を行・列共に上行に１・２・３、中行に４・５・６、下行に７に分けて記入し、行・列の合計を求め表に記入する。使用できる数はその残りに限定される。
【図２】１、１個の数字枠を更に１２等分し、表数を行・列共に上行に１・２・３・４、中行に５・６・７・８、下行に９・１０・１１・１２、に分けて記入し、行・列の合計を求め表に記入する。使用できる数はその残りに限定される。
【図３】１、現在の問題と解答例。表数字より確定数を選び出すのは容易でない。
【図４】１、問題例と解析表。各数の座標より決定される数字  例▲８▼  ２、表数の座標より求まる２個の半決定数字。  例  ４５・４５
【図５】１、解答に使用できない数字の表。ａ，表数を各行・各列毎に３段に分けて合計し、共に表に記入する。ｂ，各ブロックの表数を、そのブロック内のみ記入する。表の記入は＊印とする。
【図６】１、図４を解答に使用できる数字に置き換える。（ブランクの数字）２，図５より確定数を求める。ａ，各ブロックで半決定数を選ぶ。ｂ，同一枠内の半決定数を消去する。ｃ，同列・同行中の半決定数を消去する。ｄ，全ての行列において確定数を消去する。
【図７】１、行列１〜９の配置（半決定数の確定）ａ，各行に１・２・３、４・５・６、７・８・９があり、各列に１・４・７，２・５・８，３・６・９がなければならない。ｂ，以上により表分析の効果が明瞭に分かる。
【符号の説明】
0003136455.tif 000003
【図１】
0003136455.tif 000004
【図２】
0003136455.tif 000005
【図３】
0003136455.tif 000006
【図３】
0003136455.tif 000007
【図４】
0003136455.tif 000008
【図５】
0003136455.tif 000009
【図６】
0003136455.tif 000010
【図７】
0003136455.tif 000011
【手続補正書】
【提出日】平成19年2月5日(2007.2.5)
【手続補正１】
【補正対象書類名】明細書
【補正の内容】
0003136455.tif 000012
0003136455.tif 000013
0003136455.tif 000014
0003136455.tif 000015
0003136455.tif 000016
0003136455.tif 000017
0003136455.tif 000018
【手続補正書】
【提出日】平成19年4月18日(2007.4.18)
【手続補正１】
【補正対象書類名】明細書
【補正の内容】
0003136455.tif 000019
0003136455.tif 000020
0003136455.tif 000021
0003136455.tif 000022
0003136455.tif 000023
0003136455.tif 000024
0003136455.tif 000025
0003136455.tif 000026
【手続補正書】
【提出日】平成19年7月10日(2007.7.10)
【手続補正１】
【補正対象書類名】実用新案登録請求の範囲
【補正対象項目名】全文
【補正方法】変更
【補正の内容】
【実用新案登録請求の範囲】
【請求項１】
枠を３行３列に並べた９個の枠を数字枠とし、数字枠を３行３列に並べた９個の数字枠をブロックとしたとき、数字分析表はブロックを３行３列に並べた９個のブロックおよび８１個の数字枠からなる表。
【手続補正２】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【考案の詳細な説明】
１、  数字枠                    〔図１〕
２、  ブロック                  〔図２〕
３、  数字分析表                〔図３〕
４、  ナンバープレースは、各ブロックに１〜９を１つずつ、各ブロックの行に１〜９、列に１〜９を１つずつ入れるクイズである。
５、  ナンバープレースの問題例  〔図４〕
６、  問題例の９＊９座標による解答  〔図５〕
７、  問題例の数字分析表による解答  〔図６〕
８、  数字分析表の各ブロックに１〜９が１個ずつ存在する。また、数字分析表のブロックの上行に１・２・３、中行に４・５・６、下行に７・８・９、また、左列に１・４・７、中列に２・５・８、右列に３・６・９、が１個ずつ存在する。
以上は数字分析表の特徴で、ナンバープレースの問題を解く場合に有効な目安となる。〔図６〕
９、  数字分析表により、映画館等の座席指定ができる。〔図７〕
１０、  数字分析表により、旅客機等重量の均等化を図るため、例えば、座席１・２・３は４０ｋｇ以内、座席４・５・６は５０ｋｇ〜６０ｋｇ、座席７・８・９は６０Ｋ以上等の座席指定ができる。〔図８〕
【手続補正３】
【補正対象書類名】手続補正書
【補正対象項目名】手続補正１
【補正方法】変更
【補正の内容】
【手続補正１】
【補正対象書類名】図面
【補正対象項目名】全図
【補正方法】変更
【補正の内容】
【図１】
0003136455.tif 000027
【図２】
0003136455.tif 000028
【図３】
0003136455.tif 000029
【図４】
0003136455.tif 000030
【図５】
0003136455.tif 000031
【図６】
0003136455.tif 000032
【図７】
0003136455.tif 000033
【図８】
0003136455.tif 000034